(57)【特許請求の範囲】
【請求項１】
枕であって、上面部が寝る人の丈方向に山形をなし該上面部に該方向と直角方向の互いに平行な複数の畝状突起を有する枕基体、を含み、前記枕基体が、基板と、該基板上に互いに平行に立設する複数の板状部材とを備え、該板状部材の上縁部が前記畝状突起を構成し、前記枕基体が、互いに隣接して間に間隙が設けられた、複数の板状部材を含み、
該複数の板状部材が、高さの異なる２枚の前記板状部材を側面で密接させて前記基板に立設させた合わせ板、上縁に段差を有する板状部材、から選択された板状部材を含んで構成され、
該選択された板状部材が前記基板の頭頂部側から１乃至２個配された指圧効果用用具。
【発明の詳細な説明】
【０００１】
【発明の属する技術分野】
本発明は人体を指圧するように刺激し、血行を良くして体の調子を良くする、指圧効果用用具に関する。
【０００２】
【従来の技術】
従来より、人体を指圧するように刺激して血行を良くすることを目的とした用具は、青竹踏みや、電動マッサージ用椅子など数多くある。しかし、人体は複雑で、刺激すべき部位が最適であるか定まらず、又、いたずらに同一個所を反復刺激しても必ずしも良い効果が得られなかった。又、意識的に指圧効果を与えるべき部位を刺激する操作をその操作にかかりきりに専任して長時間行うことは、多忙でその操作の時間が取れない場合が多く、実行が難しかった。
【０００３】
又、敷物に球体から成る突起物を配して、その敷物の上に座ることにより、この突起物で身体の一部を圧迫することも試みられているが、同一個所がスポット的に圧迫され続けるので、その圧迫個所の刺激が強すぎたり、血行を阻害したり、体表面にその突起物の継続的な圧迫による陥没穴が残留するおそれがある。
【０００４】
一方、近年来、労働や生活の形態が人体にストレスを生じさせやすくしている。緊張や、冷房の効いた部屋等での長時間のデスクワークにより首筋がこったり、腰痛になったり、長時間の自動車の運転で脚が痺れたり、つったり、腰痛をひきおこすることが増えてきた。又、長時間航空機のシートに座っていることによる、所謂エコノミー症候群が社会的な問題になっている。
【０００５】
【発明が解決しようとする課題】
本発明は、これらの問題点に鑑み、就寝時や、車の運転等椅子に座っての作業中に、無意識に万遍なく人体を指圧するように刺激し、血行を良くして体の調子を良くする指圧効果用用具を提供しようとする。更に、腰痛の予防、腰痛の治癒、ヒップアップに有効な指圧効果用用具を提供しようとする。
【０００６】
【課題を解決するための手段】
本発明の要旨とするところは、枕であって、枕基体を含み、該枕基体は上面部が寝る人の丈方向に山形をなし、該上面部に該方向と直角方向の互いに平行な複数の畝状突起を有する、指圧効果用用具であることにある。
【０００７】
前記枕基体は、基板と、該基板上に互いに平行に立設する複数の板状部材とを備え、該板状部材の上縁部が前記畝状突起を構成し得る。
【０００８】
前記枕基体は、互いに隣接して間に間隙が設けられた、板状部材を含み得る。
【０００９】
又、本発明の要旨とするところは、身体を載せて用いる敷物であって、複数の棒状部材と、隣接の該棒状部材同士を連結する可撓性の連結部材とを備え、該棒状部材は互いに平行に隙間をあけて配され、該棒状部材を人の丈方向に配して用いられる指圧効果用用具であることにある。
【００１０】
本明細書においては、身体を載せて用いるとは、身体を凭れさせて用いることも意味する。
【００１１】
前記指圧効果用用具は、身体の腰部から腿部にかけた位置で用いられ、前記棒状部材が該腰部から腿部にかけた長さを有し得る。
【００１２】
更に、本発明の要旨とするところは、一対の前記指圧効果用用具同士が、可撓性のシート部材を介して結合されてなり、一の前記指圧効果用用具が椅子の背もたれに敷かれる背当てであり、他の前記指圧効果用用具が椅子の座面部に敷かれる敷物であり得る。
【００１３】
又、本発明の要旨とするところは、前記複合指圧効果用用具を備える、指圧効果用椅子であることにある。
【００１４】
【発明の実施の形態】
本発明者は、互いに平行な複数の畝状突起を上面部に有する基体の、その上面部を、直接もしくは適当なクッション材を介して、身体の指圧効果を与えるべき部位に圧接することにより、良好な指圧効果が得られることを見出し、更に検討を進め本発明を完成するに至った。
【００１５】
本発明に係る態様を図面に基づいて詳しく説明する。図１の本発明の指圧効果用用具２は、互いに平行な複数の畝状突起４を上面部１６に有する枕基体６と、該突起を覆うクッション材９とを備える。枕基体６は、基板８と、基板８の面１０の上に互いに平行に立設する複数の板状部材１２から成り、板状部材１２の上縁部１４が畝状突起４を構成している。クッション材９は、板形状をなしている。
【００１６】
指圧効果用用具２は、枕として図２に示すような態様で、板状部材１２の長手方向の面が寝る人の丈方向と直角な方向に向くようにして使用される。即ち、畝状突起４の長手方向が寝る人の丈方向と直角な方向に向くようにして使用される。これにより、畝状突起４が人の丈方向と直角な方向に直線状に人の頭部から首にかけて当接するようになっている。又、上面部１６が、寝る人の後頭部から首にかけてクッション材９を介して当接するようにして使用される。板状部材１２は、個々に高さＨが異なり、複数の畝状突起４の頂上部がなだらかに山形に連なるように配置されている。これにより、畝状突起４が人の頭部から首にかけて滑らかに当接するようになっている。
【００１７】
このようにして使用することにより、就寝時に、人の頭部の後頭筋や、頸部の半棘筋、板状筋、僧帽筋等を適度に線状に刺激し、血行を良くして体の調子を良くする。又、隣接の畝状突起４の間には、就寝時に頭や頸部に当接しない部位ができ、この部分では血液の流れが妨げられない。更に、就寝時に体を丈方向を軸として回動するとき、後頭部もしくは頸部において、畝状突起４の頂上部がクッション材９を介して間接的に後頭部もしくは頸部を圧迫する位置が、丈方向と直角方向に連続的に移動してゆく。この、圧迫する位置の丈方向と直角方向の連続的移動が、効果的なマッサージ効果をもたらす。
【００１８】
クッション材９は、厚さ３〜５ｃｍほどの矩形の座布団状のものであることが、適度のクッション性をもたらし好ましい。クッション材９は、弾性を有するスポンジシートから作られることが好ましい。フェルトから作られてもよい。タオル等の布地を１枚もしくは複数枚かさねて用いてもよい。側地に中入れ綿やスポンジ等の詰め物を詰めた薄い布団状のマット状物であってもよい。その他衝撃を和らげるシートから成るものであれば素材は問わない。クッション材９は、ゴムやウレタンゴムや、その他の合成ゴムから成るスポンジのシートを側地で包んだものであることが畝状突起４の当接圧力を分散させて、当たりを和らげる寝心地をよくして好ましい。
【００１９】
又、図３の断面模式図に示すように、板状部材１２の上縁部１４即ち畝状突起４の上面に帯状のクッション材９ａを貼り付けてもよい。
クッション材９、クッション材９ａ等は、畝状突起４と人体の間に介在して、人体への畝状突起４の当接圧力を分散させて、当たりを和らげる。
【００２０】
図４に、図１における枕基体６のＡ−Ａ´方向（人の丈方向と直角な方向）の断面図を示す。基板８に立設する板状部材１２は、上縁と長手方向にみた端部とが交わる角部１３が中央に向けてなだらかに面取りされた矩形形状をなしている。
【００２１】
図５（ａ）に、図１における枕基体６のＢ−Ｂ´方向（人の丈方向）の断面図を示す。基板８に立設する板状部材１２は、この断面でみて上縁の角部２２が半円形に面取りされている。
【００２２】
図５（ａ）において、畝状突起４の幅、即ち、板状部材１２の幅Ｗは、１０〜２０ｍｍが好ましい。１３〜１７ｍｍであることが、刺激が適度であり、更に好ましい。枕の高さ、即ち、基板８の下底から、最も高い板状部材１２の頂上までの高さＨＨは、５５〜８０ｍｍであることが好ましい。６０〜７０ｍｍであることが、最適の寝心地が得られ更に好ましい。板状部材１２のピッチＰは、３０〜４０ｍｍであることが良好な寝心地が得られ好ましい。隣接の各板状部材１２の間に空隙１７があることにより、空隙１７を空気が通過するので、本発明の指圧効果用用具２は、就寝時に頭部を冷却し、所謂頭寒足熱の効果がある。
【００２３】
本発明の指圧効果用用具２においては、最も頭頂側（図面視左側）の、基板８の下底から、畝状突起４の頂上までの高さＨ１が、２５〜４５ｍｍであることが寝心地がよくなり好ましい。又、最も頸部側（図面視右側）の、基板８の下底から、畝状突起４の頂上までの高さＨ２は、５０〜６０ｍｍであることが寝心地がよくなり好ましい。Ｈ１はＨ２より１０〜２０ｍｍ高いことが、寝たときに頭部が安定し、かつ、頸部への刺激が心地よくなされ好ましい。
ＨＨがＨ２より５〜１５ｍｍ高いことが、寝たときに頭部が安定し、かつ、頸部への刺激が心地よくなされ好ましい。更に、ＨＨがＨ２より８〜１３ｍｍ高いことが、寝たときに頭部が最も安定し、かつ、頸部への刺激が心地よくなされ好ましい。
【００２４】
図５（ｂ）に、他の態様の枕基体６ｂの人の丈方向の断面図を示す。枕基体６ｂは、高さの異なる２枚の板状部材１１ａ、１１ｂを側面で密接させて基板８に立設させた合わせ板１９の部分を含んで構成されている。図５（ｂ）のように、合わせ板１９が基板８の頭頂部側（図面視左側）から１乃至２個配されることが、寝心地をよくするうえで好ましい。
【００２５】
又、図５（ｃ）に示すように枕基体６ｃが、図５（ｂ）に示す合わせ板１９のかわりに，上縁に段差１５を有する板状部材１１ｃを含んで構成されていてもよい。
【００２６】
クッション材９は、図６の断面模式図に示すように、両端部を基板８に立設する板状部材１２の側面の固定手段２４により枕基体６に固定されていてもよい。固定手段２４は、接着や縫合や鋲打ちであってもよい。固定手段２４は、クッション材９を枕基体６に着脱自在に固定する面ファスナー、ホック、ボタン、フックのようなものであってもよい。
【００２７】
又、枕基体６は、図７の断面図に示すように、基板８の下に着脱自在のかさ上げ板２６を備えていてもよい。厚さＴの異なるかさ上げ板２６を、使用する人に応じて替えることにより、その人に合った最適の寝心地が得られる。
【００２８】
更に、本発明においては、図８の枕基体６ｃの断面図に示すように、各畝状突起４ｃが一体に成形されたものであってもよい。このような枕基体６ｃは、木や樹脂や陶器で作ることが出来る。
【００２９】
本発明の他の態様を図９に示す。図９の指圧効果用用具２ｄは、複数の棒状部材３０を備え、棒状部材３０は平行に互いに隙間をあけて簾状に配され、隣接の棒状部材３０同士が可撓性の連結部材３２を介して連結されている。図１０に図９のＣ−Ｃ´方向の部分拡大断面図を示す。棒状部材３０同士が連結部材３２を介して連結されている。連結部材３２は、一対の可撓性の帯状部材３４から成る。一対の帯状部材３４は、互いに重ねられ、棒状部材３０の長手方向と直角に配され、棒状部材３０の存在する位置で、帯状部材３４により棒状部材３０が挟まれている。一対の帯状部材３４同士の当接面、及び、棒状部材３０と帯状部材３４との当接面には、不図示の接着剤が介在して、帯状部材３４同士、及び、棒状部材３０と帯状部材３４とが接着されている。
【００３０】
又、他の連結の態様として、一枚の帯状部材の片面に棒状部材３０をその帯状部材の長手方向と直角に配して接着したものであってもよい。
【００３１】
棒状部材３０は、図１１の断面図で示すように、表面が、棒状部材３０の素材よりも柔らかい素材から成る樹脂等の被覆層４３で被覆されていることが好ましい。これにより、人体への刺激が緩和されて、過度の刺激により臓器に障害をもたらすことが防止される。被覆層は布から成るものもしくは布を含んで成るものであってもよい。粘着テープのように片面に接着層を備えるシートが棒状部材３０に巻かれて成るものであってもよい。
【００３２】
帯状部材３４の幅ＢＷ（図９）は４〜５ｃｍであることが好ましい。帯状部材３４は織物やフィルムを含むテープ状物であることが好ましい。合成又は天然の皮革を含むテープ状物であってもよい。
【００３３】
指圧効果用用具２ｄは、図１２に示すように、図９に示す棒状部材３０の長手方向を人の丈方向に平行にして、敷き布団１０４の上面等の人が横たわる面の上に、人の腰部から腿部にかけての位置に載置する。このような位置に載置された指圧効果用用具２ｄの上に人が臥すことにより、人の腰部から腿部にかけての指圧効果を与えるべき部位が適度に刺激されて血行を良くして体の調子を良くする。
【００３４】
図１２に示す態様においては、指圧効果用用具２ｄは、人のベルトの位置より下の位置に敷かれることが好ましい。人のベルトの位置より上の肋骨の位置に敷かれることは、肋骨を痛めるおそれがあり、好ましくない。指圧効果用用具２ｄの幅は、敷き布団１０４の幅と等しいか、又は敷き布団１０４の幅より若干長いことが好ましい。
【００３５】
指圧効果用用具２ｄ（図９）を構成する棒状部材３０が可撓性の連結部材３２を介して連結されているので、指圧効果用用具２ｄが体の形状にフィットしつつ、剛性を有する個々の棒状部材３０により指圧効果を与えるべき部位が刺激される。従って、体が万遍なく均一にかつ適度の強さで刺激される。この刺激により、本発明の指圧効果用用具２ｄは血行を促進し、かつ腰痛の治癒に効果がある。更に、腰部から腿部にかけて万遍なく均一にかつ適度の強さでマッサージされるのと同様の効果がある。
【００３６】
棒状部材３０は、指圧効果用用具２ｄが図１２に示すような態様で用いられる場合、曲げられたときにその曲げによる変形が弾性回復することが、万遍なく均一に指圧効果を与えるべき部位を刺激する効果、血行の促進、腰痛の治癒効果、万遍なく均一なマッサージ効果のうえで好ましい。適度のしなやかさと、適度の変形遅延回復性を有することがこれらの効果にとって更に好ましい。棒状部材３０の素材としては、繊維強化樹脂が弾性回復性とともに適度のしなやかさと適度の変形遅延回復性を有し最も好ましい。
【００３７】
指圧効果用用具２ｄが図１２に示すような態様で用いられる場合、棒状部材３０の長さＬＢ（図９）は、３０〜５０ｃｍであることが好ましい。棒状部材３０の幅ＷＢは、８〜２０ｍｍであることが好ましい。１０〜１５ｍｍであることが適度の指圧効果を与えるべき部位への刺激効果を得るうえで更に好ましい。棒状部材３０の厚さは、２〜５ｍｍであることがヒップアップ効果を目的とする場合好ましい。厚さが２ｍｍ未満であるとその刺激効果が不足する。厚さが５ｍｍを超えるとヒップアップ効果を目的とする場合その刺激効果が強すぎて過度の刺激により皮膚等に障害をもたらすことがある。３〜４ｍｍであることが指圧効果を与えるべき部位への適度の刺激効果によりヒップアップ効果を得るうえで更に好ましい。隣接の棒状部材の間の間隔ＰＢは、２０〜２５ｍｍであることが、指圧効果を与えるべき部位への適度の刺激効果を得るうえで好ましい。
【００３８】
又、指圧効果用用具２ｄが図１２に示すような態様で用いられる場合、使用者は薄着で臥せることがことが好ましい。ジャージィのような厚手の衣服を着用して臥せると、身体に障害をあたえることがあった。更に、指圧効果用用具２ｄの下には、厚さが１５ｃｍ以上の、布団もしくはマットのようなクッション性のある敷物が敷かれていることが指圧効果を与えるべき部位への適度の刺激効果を得るうえで好ましい。
【００３９】
本発明の指圧効果用用具２ｄは、棒状部材３０のサイズを適正なものにすることにより、腰痛の治癒に対して有効であった。腰痛の治癒を目的として用いられる指圧効果用用具２ｄにおいては、棒状部材３０の長さＬＢ（図９）は、３０〜４５ｃｍであることが好ましい。棒状部材３０の幅ＷＢは、１３〜２１ｍｍであることが好ましい。１５〜１８ｍｍであることが指圧効果を与えるべき部位への適度の刺激効果を得るうえで更に好ましい。棒状部材３０の厚さは、９〜２１ｍｍであることが好ましい。厚さが７ｍｍ未満であるとその刺激効果が不足する。厚さが２１ｍｍを超えるとその刺激効果が強すぎて過度の刺激により皮膚等に障害をもたらすことがある。１５〜１８ｍｍであることが腰痛の治癒効果を得るうえで更に好ましい。隣接の棒状部材の間の間隔ＰＢは２０〜２５ｍｍであることが、指圧効果を与えるべき部位への適度の刺激効果を得るうえで好ましい。２２〜２４ｍｍであることが、腰痛の治癒に対して更に好ましい。このような使用態様においては、棒状部材３０は断面が矩形であってもよい。円形、楕円形、蒲鉾形等丸みを帯びた形であってもよい。
【００４０】
このように腰痛の治癒を目的として用いられる指圧効果用用具２ｄにおいては、棒状部材３０が上記の範囲の太さを有して、腰部から腿部にかけての位置を刺激することと、隣接の棒状部材の間に上記の範囲の間隔を有することにより、棒状部材３０により人体が一時的に圧迫されて刺激される部位が適度の間隔で縦の線状に存在することと、簾状に配された棒状部材３０が、上記の範囲の間隔を維持したまま、人体の形に応じて柔軟に位置を変えることができることとが重要な要件である。
【００４１】
従って、腰痛の治癒を目的として用いられる指圧効果用用具２ｄにおいては、指圧効果用用具２ｄの上に直接臥すのがよく、人体と指圧効果用用具２ｄとの間にシーツ等のシートが敷かれていると、腰痛の治癒効果が減少する。又、腰痛の治癒を目的として用いられる指圧効果用用具２ｄにおいては、夜間３日程の連続使用が好ましい。長期にわたる夜間連続使用は、身体の表面及び内部の器官に障害となるおそれがある。
【００４２】
腰痛の治癒を目的として用いられる指圧効果用用具２ｄの横幅はその下に敷かれる敷蒲団の横幅と略同じであることが好ましい。又、指圧効果用用具２ｄは仰向けでなく、横向きに臥して使用することが腰痛の治癒効果にとって好ましい。更に、２０分を超えるような長時間同じ姿勢で同じ部位が刺激され続けることは、好ましくないが、人は就寝時１時間当たり約３〜４回のねがえりをうつので、このねがえりにより体の向きが変わって棒状部材３０が人体に当接する部位がかわるのでこのことが腰痛の治癒効果にとって好ましい。
【００４３】
このような態様で使用される腰痛の治癒を目的としたサイズの指圧効果用用具２ｄは、前立腺肥大症の症状の緩和にも効果があった。又、内蔵の動きをよくし、特に腸の動きを活発にする効果があった。更に、血行が促進されて、就寝時の足の冷えがなくなる効果があった。
【００４４】
指圧効果用用具２ｄは、自動車の座席等の椅子の、臀部から腿にあたる部分に敷いて用いることが出来る。このような使用の態様により、特に腿の裏側の付け根や、骨盤の下方の筋肉が適度に且つ万遍なく刺激され、血行を促進し、かつ腰痛の治癒に効果がある。このような使用態様においては、棒状部材３０の長さＬＢ（図９）は、１８〜３０ｃｍであることが好ましい。２５〜３０ｃｍであることが腿の裏側の付け根や、骨盤の下方の筋肉を刺激するうえで更に好ましい。隣接の棒状部材３０同士の間隔ＰＢは３０〜４０ｍｍであることが、腿の裏側の付け根や、骨盤の下方の筋肉への適度な刺激効果が得られて好ましい。棒状部材３０の厚さは、７〜１３ｍｍであることが好ましい。厚さが７ｍｍ未満であるとその刺激効果が不足する。厚さが１３ｍｍを超えるとその刺激効果が強すぎる。８〜１２ｍｍであることが腰痛の治癒効果を得るうえで更に好ましい。このような使用態様においては、棒状部材３０は断面が矩形であってもよい。円形、楕円形、蒲鉾形等丸みを帯びた形であってもよい。
【００４５】
指圧効果用用具２ｄを、自動車の座席等の椅子に敷いて用いるときには、図１３の断面模式図に示すように、椅子の座面部９４がクッション性を有して、人９９が座ったとき、体重のかかる部分の指圧効果用用具２ｄの上面９０が、椅子の座面９２とほぼ面一になるように、指圧効果用用具２ｄが座面９２に沈み込んでいる状態であることが、腿の裏側の付け根や、骨盤の下方の筋肉への適度な刺激効果が得られて好ましい。更に、指圧効果用用具２ｄを構成する棒状部材３０の中央部から前側に体重がかかると、棒状部材３０の前側がクッションに沈み込み、棒状部材３０の後端がシーソーの一端のように上昇し、棒状部材３０の後端部が人の腿の裏側の付け根付近を突き上げるように刺激するので好ましい。
【００４６】
更に、本発明においては、図１４に示す指圧効果用用具２ｆを、自動車の座席等の椅子に敷いて用いることが出来る。図１４（ａ）に示すように、指圧効果用用具２ｆは互いに略等間隔に平行に配された棒状部材３０ｆが両端部それぞれで帯状物から成る連結部材３２ｆにより連結されている。連結部材３２ｆは、その他に各棒状部材３０ｆの中央部にわたって配されていてもよい。図１４（ｂ）の断面図に示すように、指圧効果用用具２ｆは、真っ直ぐな帯状の連結部材３２ｆの片面に棒状部材３０ｆの上面３４ｆが貼り付けられている。又、補助連結部材３３ｆが棒状部材３０ｆを一部巻いて連結部材３２ｆに貼り付けられている。指圧効果用用具２ｆは、真っ直ぐな帯状の連結部材３２ｆが配されている表側３９ｆが人体と当接する側である。表側３９ｆと反対側の面を上にして、直接その上に直接臥したりすると刺激がつよすぎて好ましくない。
【００４７】
図１４（ｃ）の断面図に示すように、表側３９ｆに配される帯状の連結部材３２ｆは、棒状部材３０ｆを上面３４ｆから側面にかけてわずかに巻き込んで連結部材３２ｆに貼り付けられていてもよい。
【００４８】
図１５に示すように、指圧効果用用具２ｆの上面にクッション性シート３３が設けられて、クッション付きの指圧効果用用具２ｇが構成される。クッション性シート３３には、各棒状部材３０ｆの間の間隙に対応して、その間隙の上部の位置に、棒状部材３０ｆの長手方向に沿ってスリット９２が設けられている。スリット９２を設けることにより、各棒状部材３０ｆが拘束されずに動くので、各棒状部材３０ｆが体にフィットして万遍なく体を刺激する。
【００４９】
クッション性シート３３は、フェルトから成るものであってもよい。中入れ綿のシートを側地ではさんでキルトしたキルティング地から成るものであってもよい。側地に中入れ綿やスポンジ等の詰め物を詰めた薄い布団状のものであってもよい。厚い布から成るものであってもよい。クッションシート３３は、その他衝撃を和らげるシートから成るものであれば素材は問わない。
【００５０】
図１６に示すように、クッション付きの指圧効果用用具２ｇは、棒状部材３０ｆの先端部が配列している１の縁部９４（先端縁部）の位置を、椅子５０の座面部５４の先端にほぼそろえて、座面部５４の上面に敷く。これにより、棒状部材３０ｆの先端部が配列している他の縁部９５（後端縁部）の位置と、座面５４の最後部５７（座面５５における背もたれ５２の付け根）との間に略１０〜１５ｃｍの隙間ができ、この位置に露出された座面５８ができる。人は、露出された座面５８の上に肛門がくるようにして椅子５０に腰掛ける。
【００５１】
図１６に示すこのような態様でクッション付きの指圧効果用用具２ｇを使用すると、腿の裏側の付け根や、骨盤の下方の筋肉の指圧効果を与えるべき部位が適度に刺激されて、骨盤の下方の人体の奥の部分の血管が刺激されて血行が良くなる。これにより、催しものの観覧、事務、乗り物に乗った時、家庭等において長時間にわたり椅子にかけかけたときの腰や脚の痺れ、腰痛の発生などが抑制される。
【００５２】
座面部５４はクッション性を有することが好ましい。座面部５４がクッション性を有しない場合は、座面部５４と、クッション付きの指圧効果用用具２ｇとの間に厚い座布団のようなクッションシートを介在させることが好ましい。
【００５３】
図１４において、棒状部材３０ｆの長さＬＦは、１８〜３５ｃｍであることが好ましい。２５〜３０ｃｍであることが脚にフィットして更に好ましい。各棒状部材３０ｆの間の間隙ＰＦは２０〜３０ｍｍであることが、指圧効果を与えるべき部位への適度な刺激効果を得るうえで好ましい。
【００５４】
棒状部材３０ｆは断面が矩形であってもよい。円形、楕円形、蒲鉾形等丸みを帯びた形であってもよい。棒状部材３０ｆの断面については、図１７（ａ）に示すように、上面３７側（体側）が平坦で、下面３５側（椅子の座面側）が外側に凸な弧状であることが、指圧効果を与えるべき部位への適度な刺激効果を得るうえで更に好ましい。棒状部材３０ｆの幅ＷＦは、８〜１８ｍｍであることが好ましい。１２〜１８ｍｍであることが、指圧効果を与えるべき部位への適度な刺激効果を得るうえで更に好ましい。１４〜１６ｍｍであることがその効果を得るうえで最も好ましい。棒状部材３０ｆの厚さＴＦは、６〜１８ｍｍであることが好ましい。８〜１３ｍｍであることが、指圧効果を与えるべき部位への適度な刺激効果を得るうえで更に好ましい。
【００５５】
又、棒状部材３０ｆの他の好ましい断面形状としては、図１７（ｂ）に示すように、上面３７ｂ側（体側）が平坦で、下面３５ｂ側（椅子の座面側）が外側に凸な弧状であり、かつ上面３７ｂ側の縁４９が面取りされているものが挙げられる。図１７（ｂ）において、棒状部材３０ｆの幅ＷＦ１は、１４〜２０ｍｍであることが、指圧効果を与えるべき部位への適度な刺激効果を得るうえで好ましい。１６ｍｍから１８ｍｍであることがその効果を得るうえで更に好ましい。棒状部材３０ｆの上面３７ｂのフラットの部分幅ＷＦ２は、１４から１６ｍｍであることが、指圧効果を与えるべき部位への適度な刺激効果を得るうえで好ましい。棒状部材３０ｆの厚さＴＦ１は、９〜１８ｍｍであることが、指圧効果を与えるべき部位への適度な刺激効果を得るうえで好ましい。８〜１３ｍｍであることがその刺激効果を得るうえで更に好ましい。
【００５６】
又、棒状部材３０ｆの他の好ましい断面形状としては、図１７（ｃ）に示すように、上面３７ｃ側（体側）が平坦で、下面３５ｃ側（椅子の座面側）が外側に凸なＣ形の弧状であるものが挙げられる。図１７（ｃ）において、棒状部材３０ｆの幅ＷＦ３は、１４〜２０ｍｍであることが、指圧効果を与えるべき部位への適度な線状の刺激効果を得るうえで好ましい。１６から１８ｍｍであることがその刺激効果を得るうえで更に好ましい。棒状部材３０ｆの上面３７ｃのフラットの部分幅ＷＦ４は、７から９ｍｍであることが、指圧効果を与えるべき部位への適度な平行な多数の線状の刺激効果を得るうえで好ましい。棒状部材３０ｆの厚さＴＦ２は、９〜１８ｍｍであることが、指圧効果を与えるべき部位への適度な刺激効果を得るうえで好ましい。８〜１３ｍｍであることがその刺激効果を得るうえで更に好ましい。
【００５７】
帯状部材３４ｆの幅ＦＷ（図１４（ａ））は３．５〜５ｃｍであることが指圧効果を与えるべき部位への適度な刺激効果を得るうえで好ましい。帯状部材３４ｆは織物やフィルムを含むテープ状物であることが好ましい。合成又は天然の皮革を含むテープ状物であってもよい。
【００５８】
本発明の更に他の態様を図１８の要部斜視模式図に示す。図１８においては、簾状の指圧効果用用具２ｅと、クッション付きの指圧効果用用具２ｇとが、可撓性のシート部材４０を介して結合されて複合指圧効果用用具７０を構成している。複合指圧効果用用具７０が椅子５０に載置されたものが、指圧効果用椅子８０となっている。
【００５９】
図１８において、指圧効果用用具２ｅは、シート部材４０に備えられた袋体４４に納められている。袋体４４は、クッション性を有するシート４５を含む可撓性のシート部材４０から作られている。クッション性を有するシート４５は、人の背中に当接し、指圧効果用用具２ｅを構成する棒状部材３０ｅが、人体に突き当たる圧力を和らげる。クッション性を有するシート４５は、フェルトから成るものであってもよい。中入れ綿のシートを側地ではさんでキルトしたキルティング地から成るものであってもよい。側地に中入れ綿やスポンジ等の詰め物を詰めた薄い布団状のものであってもよい。厚い布から成るものであってもよい。クッション性を有するシート４５は、その他衝撃を和らげるシートから成るものであれば素材は問わない。
【００６０】
クッション付きの指圧効果用用具２ｇの一端部４７は、シート部材４０の端部４６と結合手段４８を介して結合されている。結合手段４８は、接着や縫合や鋲打ちであってもよい。
【００６１】
図１８において、指圧効果用用具２ｅは、椅子５０の背もたれ５２にたてかけられるように敷かれ、クッション付きの指圧効果用用具２ｇは、椅子５０の座面部５４に敷かれている。指圧効果用用具２ｅの棒状部材３０ｅの長手方向と、クッション付きの指圧効果用用具２ｇの棒状部材３０ｆの長手方向は、いずれも人が椅子に掛けたときの身の丈方向に平行に配置されている。即ち、棒状部材３０ｅの長手方向が、人の背骨の連なる方向に、棒状部材３０ｆの長手方向が人の腿部の脚の方向に、それぞれ向いている。
【００６２】
指圧効果用用具２ｇの前端部６２（背もたれ５２に近い側とは反対の側）は、椅子５０の座面部５４の前の端部５５を含み座面５７と直角な面内にほぼ位置することが好ましい。即ち、指圧効果用用具２ｇと座面部５４とは先端がほぼそろえられていることが好ましい。更に、指圧効果用用具２ｇの後端（背もたれ５２に近い側の端）と、座面部５４における背もたれ５２の根元の位置６１とは所定の間隔を有し、その間隔Ｋは、１０〜１５ｃｍであることが好ましい。
【００６３】
更に、可撓性のシート部材４０の表面の、クッション付きの指圧効果用用具２ｇを椅子５０に装着したときの背もたれ５２の付け根に近い位置に、腰あてクッション５９が取り付けられている。腰あてクッション５９は、人が椅子５０に座ったときに腰と背もたれ５２の間にできる隙間を埋めて、腰を程よく圧迫し、座ったときの腰の位置を安定さる。これにより、座った人の姿勢を安定させて、クッション付きの指圧効果用用具２ｇの効果の発揮を促進させる。
【００６４】
図１９に、図１８に示す指圧効果用椅子８０に人が座った状態での、椅子５０と、人体と、指圧効果用用具２ｅと、クッション付きの指圧効果用用具２ｇと、腰あてクッション５９との位置関係を示す。腰あてクッション５９は、弾性があり且つ弾性回復性に優れ、バネのような反発力がある柱状のクッション体から成る。これにより、指圧効果用用具２ｅの下端部が座った人の腰部に効果的に押し当てられ腰部が刺激される。好ましいクッション体としては、スポンジや袋に繊維が詰められた詰め物が挙げられる。腰あてクッション５９と、縦に配列した棒状部材３０ｅとの組み合わせにより、座った人の腰部が効果的に縦の線状に刺激される。
【００６５】
指圧効果用用具２ｅは、図２１の平面模式図に示すように、簾状物から成り、複数の棒状部材３０ｅを備え、棒状部材３０ｅは平行に互いに隙間をあけて簾状に配され、隣接の棒状部材３０ｅ同士が可撓性の連結部材３２ｅを介して連結されている。
【００６６】
図２０に、図１９の状態を上からみたときの、人の臀部Ｍ、肛門Ｑ、指圧効果用用具２ｅを構成する棒状部材３０ｅ、指圧効果用用具２ｇを構成する棒状部材３０ｆの相互の位置関係を示す。棒状部材３０ｆの先端部１００が腿の裏側の付け根に位置して、腿の裏側の付け根や、骨盤の下方の筋肉の指圧効果を与えるべき部位を突き上げるように刺激し、骨盤の下方の人体の奥の部分の血管の血行が良くなる。肛門Ｑの部分に棒状部材３０ｆによる刺激を直接与えることは肛門Ｑの部分に悪影響を及ぼすことがあり好ましくない。肛門Ｑの部分は指圧効果用用具２ｅからはずれて椅子５０の座面９２に直接載置されるようにすることが好ましい。棒状部材３０ｅの先端部１０２は、人の腰部を線状に刺激する。
【００６７】
棒状部材３０ｅは、曲げられたときにその変形が弾性回復することが、指圧効果を与えるべき部位への万遍なく均一な刺激効果、血行の促進、腰痛の治癒効果、万遍なく均一なマッサージ効果のうえで好ましい。適度のしなやかさと、適度の変形遅延回復性を有することがこれらの効果にとって更に好ましい。棒状部材３０ｅの素材としては、木、竹、樹脂、繊維強化樹脂が好ましい。ヒノキが、弾性回復性とともに、適度のしなやかさと、適度の変形遅延回復性を有し最も好ましい。
【００６８】
図２１において、棒状部材３０ｅの長さＬＥは、３５〜４５ｃｍであることが好ましい。棒状部材３０ｅの幅ＷＥは、１２〜１３ｍｍであることが、指圧効果を与えるべき部位への適度な線状の刺激効果を得るうえで好ましい。棒状部材３０の厚さは、５〜７ｍｍであることが好ましい。各棒状部材３０ｅの間の間隙ＰＥは１３〜１５ｍｍであることが、指圧効果を与えるべき部位への適度な線状の刺激効果を得るうえで好ましい。
【００６９】
連結部材３２ｅは帯状部材から成り、その幅ＥＷは２〜５ｃｍであることが好ましい。帯状部材は織物やフィルムを含むテープ状物であることが好ましい。合成又は天然の皮革を含むテープ状物であってもよい。
【００７０】
棒状部材３０ｅは、図１１の断面図で示すものと同様に、表面が、棒状部材３０ｅの素材よりも柔らかい素材から成る樹脂等の被覆層で被覆されていることが好ましい。これにより、人体への刺激が緩和されて、過度の刺激により皮膚等に障害をもたらすことが防止される。被覆層は布から成るものもしくは布を含んで成るものであってもよい。粘着テープのように片面に接着層を備えるシートが棒状部材３０ｅに巻かれて成るものであってもよい。
【００７１】
図１８に示すような配置で人が椅子５０に掛けると、指圧効果用用具２ｅを構成する棒状部材３０ｅと、クッション付きの指圧効果用用具２ｇを構成する棒状部材３０ｆが、人体の指圧効果を与えるべき部位を刺激し、血行を良くして体の調子を良くする。又、腰痛を治癒させる効果もある。
【００７２】
椅子５０は、座面部５４にクッション用スプリングや弾性部材が用いられて、座面部５４がクッション性を有することが必要である。座面部５４が硬くてクッション性を有しない場合は、座面部５４の上にクッション性を有する座布団等のクッション性を有する敷物を敷くことが必要である。
【００７３】
特に、自動車の運転席にこの複合指圧効果用用具７０を設置すれば、腿の裏側の指圧効果を与えるべき部位が適度に刺激されて血行を良くして、運転が長期にわたっても腰が痛くなったり脚や腰が痺れることがない。これは、腿の裏側の付け根や、骨盤の下方の筋肉の指圧効果を与えるべき部位が適度に刺激されて、骨盤の下方の人体の奥の部分の血管の血行が良くなるためと思われる。
【００７４】
自動車の運転において、通常の座席に座って運転する場合、１乃至数時間連続運転すると、脚の痺れを生ずるが、自動車の運転席にこの複合指圧効果用用具７０を設置して走行したところ、６時間程度の連続運転後でも腰の痛みや、脚や腰の痺れが全く生じなかった。
【００７５】
又、飛行機の座席にこの複合指圧効果用用具７０を設置すれば、長期にわたり窮屈な姿勢をとらされても、腿の裏側の指圧効果を与えるべき部位が適度に刺激されて血行を良くして、脚のだるさが軽減され、かつ、脚の血行障害に起因するといわれる所謂エコノミー症候群の予防が可能である。
【００７６】
更に、オフィスの椅子に本発明の指圧効果用用具７０を設置すれば、長期にわたり座って事務作業やパソコン作業等の作業を継続しても、腿の裏側の指圧効果を与えるべき部位が適度に刺激されて血行を良くして、脚のだるさが軽減され、脚がつったり痺れたりするトラブルを減少させることが出来る。
【００７７】
本発明の複合指圧効果用用具７０を椅子５０に搭載するときには、図１９に示すように、椅子５０の奥の、掛けた人の腰から臀部に至る位置に、柱状の腰あてクッション５９を載置することが、腰掛けた状態を安定させて好ましい。腰あてクッション５９は、その長手方向を椅子５０の幅方向に向けて、掛けた人の腰から臀部に至る部分と、椅子５０とで挟まれるように配置される。腰あてクッション５９は、シート部材４０と縫合等により結合されていれば、配置の位置がずれず好ましい。
【００７８】
以上本発明の指圧効果用用具及び複合指圧効果用用具の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００７９】
【発明の効果】
本発明の指圧効果用用具及び複合指圧効果用用具は、就寝時や、車の運転等椅子に座っているときに、体の丈方向にそって万遍なく無意識に指圧効果を与えるべき部位を線状に刺激し、血行を良くして体の調子を良くする。
【００８０】
本発明の複合指圧効果用用具は、家庭内や事務作業や車の運転、航空機の座席等の椅子に座っての長時間の動作中に、骨盤の下方の人体の奥の部分を万遍なく無意識に刺激し、血行を良くして体の調子を良くする。
【００８１】
本発明の指圧効果用用具は、就寝時に、後頭部もしくは頸部において圧迫される部位が丈方向と直角方向に線状に連続的に移動し、効果的なマッサージ効果をもたらす。
【００８２】
本発明の指圧効果用用具は、後頭部もしくは頸部を、丈方向と直角方向に複数の間隔をおいた線状に圧迫し、効果的なマッサージ効果をもたらす。
【００８３】
本発明の指圧効果用用具は、後頭部もしくは頸部を圧迫する板状部材の間に間隙を有し、その間隙を空気の流れが通過して、後頭部もしくは頸部を冷却する機能を兼ね備える。
【図面の簡単な説明】
【図１】本発明の指圧効果用用具の要部斜視図である。
【図２】図１の指圧効果用用具が使用される状態を示す側面模式図である。
【図３】本発明の指圧効果用用具に用いられる板状部材の上縁部の状態の一例を示す断面模式図である。
【図４】図１の指圧効果用用具に用いられる枕基体のＡ−Ａ´方向の断面図断面図である。
【図５】図５（ａ）は、図１の指圧効果用用具に用いられる枕基体のＢ−Ｂ´方向の断面図である。図５（ｂ）は、図５（ａ）と異なる態様の枕基体の断面図である。図５（ｃ）は、図５（ｂ）と更に異なる態様の枕基体の断面図である。
【図６】枕基体にクッション材が固定された状態を示す断面模式図である。
【図７】枕基体の他の態様を示す断面図である。
【図８】枕基体の更に他の態様を示す断面図である。
【図９】本発明の他の態様の指圧効果用用具の平面模式図である。
【図１０】図９の指圧効果用用具の部分拡大断面模式図である。
【図１１】図９の指圧効果用用具に用いられる棒状部材の構成を示す断面図である。
【図１２】図１２は、図９の指圧効果用用具が使用される状態を示す平面模式図である。
【図１３】図９の指圧効果用用具が椅子に敷いて使用される状態を示す説明図である。
【図１４】図１４（ａ）は指圧効果用用具の他の態様を示す平面模式図である。図１４（ｂ）は図１４（ａ）に示す指圧効果用用具の断面模式図である。図１４（ｃ）は図１４（ｂ）に示す指圧効果用用具とは異なる態様の指圧効果用用具の断面模式図である。
【図１５】図９とは異なる態様の本発明の複合指圧効果用用具を示す要部斜視模式図である。
【図１６】図１５に示す複合指圧効果用用具を椅子に敷いて使用する状態を示す説明図である。
【図１７】図１７（ａ）は、図１４に示す指圧効果用用具に用いられる棒状部材の断面を示す断面図である。図１７（ｂ）は、図１７（ａ）とは異なる態様の断面を示す断面図である。図１７（ｃ）は、図１７（ａ）とは更に異なる態様の断面を示す断面図である。
【図１８】図１８は本発明の複合指圧効果用用具及びその複合指圧効果用用具が椅子に装着されて成る指圧効果用椅子の態様を示す要部斜視模式図である。
【図１９】図１８に示す指圧効果用椅子に人が座った状態を示す断面の説明図である。
【図２０】図１８に示す指圧効果用椅子に人が座った状態を示す上からみた説明図である。
【図２１】図１８に示す複合指圧効果用用具に用いられる指圧効果用用具の構成を示す平面模式図である。
【符号の説明】
２、２ｄ、２ｅ、２ｆ：指圧効果用用具。
２ｇ：クッション付きの指圧効果用用具
４：畝状突起
６：枕基体
８：基板
９、９ａ：クッション材
１２：板状部材
１４：上縁部
１６：上面部
３０：棒状部材
３２：連結部材
４０：シート部材
５０：椅子
５２：背もたれ
５４：座面部
７０、７０ａ、７０ｂ：複合指圧効果用用具
８０：指圧効果用椅子
【図１】
0003869253.tif 000002
【図２】
0003869253.tif 000003
【図３】
0003869253.tif 000004
【図４】
0003869253.tif 000005
【図５】
0003869253.tif 000006
【図６】
0003869253.tif 000007
【図７】
0003869253.tif 000008
【図８】
0003869253.tif 000009
【図９】
0003869253.tif 000010
【図１０】
0003869253.tif 000011
【図１１】
0003869253.tif 000012
【図１２】
0003869253.tif 000013
【図１３】
0003869253.tif 000014
【図１４】
0003869253.tif 000015
【図１５】
0003869253.tif 000016
【図１６】
0003869253.tif 000017
【図１７】
0003869253.tif 000018
【図１８】
0003869253.tif 000019
【図１９】
0003869253.tif 000020
【図２０】
0003869253.tif 000021
【図２１】
0003869253.tif 000022